(57)【要約】【課題】清掃などの維持管理のし易い取水設備を提供すること。【解決手段】水中に配置する取水口２と取水した水を送水する送水設備からなる取水設備において、水中に露出する取水口２と、前記取水口の下方に接続する接続部３と、前記接続部に繋がる送水管４と、からなり、前記取水口または前記接続部に止水手段を設けたことを特徴とするものである。ここで、前記接続部を塔状構造物３ａにし、前記塔状構造物の内側に、内面壁から突出する栓留め部５２を設け、前記取水口の上方から下降させた栓体５１、または前記塔状構造物の下方から上昇させた栓体５１を、前記栓留め部に係止することによって止水をおこなう構造とすることができる。【選択図】        図１
2004270340.tif 000002
【特許請求の範囲】
【請求項１】
水中に配置する取水口と取水した水を送水する送水設備からなる取水設備において、
水中に露出する取水口と、
前記取水口の下方に接続する接続部と、
前記接続部に繋がる送水管と、からなり、
前記取水口または前記接続部に止水手段を設けたことを特徴とする、
取水設備。
【請求項２】
前記接続部が塔状構造物であることを特徴とする、請求項１記載の取水設備。
【請求項３】
請求項２記載の取水設備において、
前記塔状構造物の内側に、内面壁から突出する栓留め部を設け、前記取水口の上方から下降させた栓体、または前記塔状構造物の下方から上昇させた栓体を、前記栓留め部に係止することによって止水をおこなう構造としたことを特徴とする、
取水設備。
【発明の詳細な説明】
【０００１】
【発明の属する技術分野】
本発明は、火力発電所や原子力発電所の復水器冷却用水、石油化学工業の熱交換器冷却用水、または生活用水などの各種用水の採取に必要な取水設備に関するものである。
【０００２】
【従来の技術】
取水設備ａは、取水地点となる海中、河川中または湖沼などに設置されているが、水以外にもゴミや生物を取り込むため、定期的に清掃をおこなう必要がある。
特に、発電所の取水設備ａは、海中に設置されることが多く、取水口ｂや送水管などの送水設備ｃの内部にまで、フジツボ、カキ、ムラサキイガイ、ヒドラ、セルプラ、ホヤ、コケムシ、アオサ、アオノリ、シオミドロ、付着珪藻、付着バクテリア等の貝類ｄ、藻類および微生物が付着して繁茂する（図３参照）。
これら付着生物は、流体抵抗の増加や、熱伝導性の低下など設備機器の能力低下をもたらすために、定期的に清掃して除去する必要がある。
これらの生物の付着を抑えるために、取水した水と接触する部分に防汚剤を塗布する方法が従来から実施されていた（特許文献１参照）。また、取水される水と一緒に洗浄剤を流し込むことによって清掃する方法もある。
また、付着した生物を直接除去する方法として、ダイバーが水中作業によって除去する方法や、遠隔操作によって作業機械を操作して除去する方法などがおこなわれている。
【０００３】
【特許文献１】
特開平１０−４５５１２号公報（第２−３頁）
【０００４】
【発明が解決しようとする課題】
前記した従来の取水設備の清掃においては、次のような問題点がある。
＜イ＞洗浄剤を流し込む方法では、洗浄剤が水中に混入して周辺環境に影響を与えるおそれがある。
＜ロ＞ダイバーや作業機械によって水中作業をおこなう方法では、作業性が悪く、効率、効果及び安全性の面で問題がある。
【０００５】
【発明の目的】
本発明は上記したような従来の問題を解決するためになされたもので、清掃などの維持管理のし易い取水設備を提供することを目的とする。
また、維持管理のために周辺環境に悪影響を与えることのない取水設備を提供することを目的とする。
また、取水口の支持構造を別途設ける必要のない取水設備を提供することを目的とする。
本発明は、これらの目的の少なくとも一つを達成するものである。
【０００６】
【課題を解決するための手段】
上記のような目的を達成するために、本発明の取水設備は、水中に配置する取水口と取水した水を送水する送水設備からなる取水設備において、水中に露出する取水口と、前記取水口の下方に接続する接続部と、前記接続部に繋がる送水管と、からなり、前記取水口または前記接続部に止水手段を設けたことを特徴とするものである。
ここで、前記接続部を塔状構造物にすることができる。さらに、前記塔状構造物の内側に、内面壁から突出する栓留め部を設け、前記取水口の上方から下降させた栓体、または前記塔状構造物の下方から上昇させた栓体を、前記栓留め部に係止することによって止水をおこなう構造とすることができる。
【０００７】
【発明の実施の形態】
以下、図面を参照しながら本発明の実施の形態について説明する。
【０００８】
＜イ＞取水設備
取水設備１は、水を取り込むための取水口２と、取り込んだ水を所定の施設まで送水するための送水設備から構成する。
取水設備１は、工業用水、生活用水又は農業用水などの各種用水を採取するために設けられる。例えば、火力発電所や原子力発電所の復水器冷却用水、または石油化学工業の熱交換器冷却用水などとして使用する用水を採取するために設ける。
【０００９】
＜ロ＞取水口
取水口２は、淡水や海水を取り込むための開口部である。取水口２には、大きなゴミや生物が流入しないように、フィルターを取り付ける。
取水口２は、海、河川または湖沼の水中に配置する。例えば、水底に堆積した泥や砂などを吸い込まないように、水底から少し離れた位置に配置する。
取水口２は、例えば水車状の円盤を横向きにして、側面に複数の開口部が配置されるようにして設ける。開口部から流れ込んだ水は、中央に流れ込んで、後述する接続部３に流れ出す。
【００１０】
＜ハ＞送水設備
送水設備は、取水口２から取り込んだ水を送水するための設備である。
送水設備は、例えば取水口２の下方に設けた接続部３と、その接続部３に繋がる送水管４で構成する。
接続部３としては、例えば塔状に構築した立坑を使用することができる。すなわち、接続部３を、一部を水底から露出させ、他の部分を水底地盤に埋設した塔状構造物３ａとして構築する。塔状構造物３ａの上面は開放しておき、取水口２から取り込んだ水が流入するようにしておく。塔状構造物３ａの底は閉塞し、取り込んだ水が地盤によって混濁したり、漏洩したりしないようにする。また、塔状構造物３ａの側面には穴を開設し、その穴に送水管４を接続する。取水口２から流入して塔状構造物３ａの内部に流れ込んだ水は、送水管４に送られる。塔状構造物３ａは、地盤に埋設されており自立できるため、取水口２も塔状構造物３ａの上部に設置して支持させればよい。塔状構造物３ａは、ケーソン工法によって構築できる。
【００１１】
なお、送水設備を端部が折れ曲がった管材（図３の送水設備ｃ参照）だけで構成する場合は、折れ曲がって取水口２に接続するまでの管材が接続部３になる。この場合は、取水口２を所定の高さで支持するために、別途、杭ｅなどを打設する必要がある。
【００１２】
＜ニ＞止水手段
止水手段５は、接続部３及び送水管４に流入する水を一時的に止め、接続部３及び送水管４内を水中状態から気中状態に変えるための手段である。
止水手段５は、取水口２に設けることもできるが、接続部３の上部に設けてもよい。例えば、塔状構造物３ａの内側の上部に、内面壁から突出する栓留め部５２を設ける。栓留め部５２は環状に設ける。
そして、栓留め部５２に係止するための栓体５１を、塔状構造物３ａの上方から下降させたり、塔状構造物３ａの底部から上昇させたりして、栓体５１と栓留め部５２を係止させて止水をおこなう。栓体５１と栓留め部５２の間には、パッキンなどの止水部材を介在させて、確実に止水をおこなう。
なお、栓体５１の外周側面が塔状構造物３ａの内壁面に密着している場合は、栓留め部５２は環状でなくとも断続的に配置した凸部であればよい。
また、止水手段５は、上記の構造に限定されるものではなく、ゲートなどを接続部３の上面や取水口２の内部に設け、ゲートを閉鎖することで止水をおこなうこともできる。
【００１３】
【実施例】
図１，２を参照しながら、本発明の取水設備の止水方法の実施例について説明する。
取水口２を設けた円盤状構造物の中央には、予め塔状構造物３ａまで貫通する穴であって、栓体５１が通過可能な貫通穴２１を形成しておく。
そして、清掃などのために取水設備１を止水するときに、栓体５１を取水口２の上方までクレーン船などで運搬する。栓体５１は、上面に取り付けた棒体５３を介してワイヤロープ５４に繋ぎ、クレーン船から吊り下げる。
次に、栓体５１を貫通穴２１に向けて下降させる（図１参照）。貫通穴２１を通過した栓体５１は、塔状構造物３ａに侵入し、栓留め部５２に引っ掛かって止まる。こうして取水口２からの水の流入は阻止できる。止水が完了して、接続部３及び送水管４の水が流れ出せば、接続部３及び送水管４の内部は気中状態になる。このため、送水管４の排出口から、容易に送水管４の内部及び接続部３の内部に作業員が入り込むことができる。作業員は、気中で作業がおこなえるため、安全かつ、効率的に清掃作業をおこなうことができる。また、作業性が良いため、確実に清掃をおこなうことができる。
【００１４】
【発明の効果】
本発明の取水設備は、以上説明したようになるから次のような効果を得ることができる。
＜イ＞送水設備に流入する水を簡単に止水できる。このため、清掃などの維持管理がし易い。
＜ロ＞薬剤などを水域に混入することがない。このため、維持管理のために周辺環境に悪影響を与えることがない。
＜ハ＞接続部に自立性の塔状構造物を使用した場合、取水口を支持するための杭等の支持部材を、別途設ける必要がない。
【図面の簡単な説明】
【図１】本発明の取水設備の実施例の説明図。
【図２】取水設備の止水状態の実施例の断面図。
【図３】従来の取水設備の実施例の断面図。
【符号の説明】
１・・・取水設備
２・・・取水口
３・・・接続部
３ａ・・塔状構造物
４・・・送水管
５１・・栓体
５２・・栓留め部
【図１】
2004270340.tif 000003
【図２】
2004270340.tif 000004
【図３】
2004270340.tif 000005